(57)【要約】  本発明に基づくレール固定システムにおいて、それぞれ提供される固い土台（１）の平坦に形成された表面（２）上に、個々の部材が配置されている。その場合に、アングルガイドプレート（１１、１２）の位置固定は、土台（１）に形成された突出部または凹部を介してではなく、別体の支持アングル（１８、１９）を介して行われる。この支持アングル（１８、１９）は、本発明に基づく固定システムを取り付ける場合に問題なくそれぞれ次のように、すなわち、それぞれの土台上のそれぞれの方向付けに関係なく、アングルガイドプレート（１１、１２）の最適な支持が保証されるように、位置決めすることができる。このようにして本発明に基づく固定システムは、既知のシステム上に構築することができ、弾性的な中間層（４）、圧力分配プレート（８）、ばね部材（２６、２７）およびテンション部材（２８、２９）のような、その既知のシステムの大部分のコンポーネントを受け継ぐ。
2009523931.tif 000002
【特許請求の範囲】
【請求項１】
非弾性的な、固い、平坦に形成された土台上に、レール（Ｓ、Ｓ２）、特にポイントのレール（Ｓ、Ｓ２）を固定するシステムであって、
−システムの取り付けが完了した場合に固い土台上に載置される、弾性的な材料からなる中間層（４、３１、５３）を有し、
−システムの取り付けが完了した場合に中間層（４、３１、５３）上に載置される圧力分配プレート（８、３２、５４）を有し、システムの取り付けが完了した場合に、前記圧力分配プレートの、中間層（４、３１、５３）とは逆の上側上に、固定すべきレール（Ｓ、Ｓ２）のレール脚（５、６７）が支持され、
−システムの取り付けが完了した場合に、レール（Ｓ、Ｓ２）のレール脚（５、６７）の側方に添接する、少なくとも１つのアングルガイドプレート（１１、１２、３３、３４、５５、５６）を有し、前記アングルガイドプレートは、システムの取り付けが完了した場合に固い土台上に載置されて、レール車両がレール（Ｓ、Ｓ２）を通過する際に発生する横力を吸収し、
−ばね部材（２６、２７、４０、４１、６１、６２）を有し、前記ばね部材は、システムの取り付けが完了した場合にアングルガイドプレート（１１、１２、３３、３４、５５、５６）上に取り付けられ、かつそれぞれ２つの保持アームを有しており、システムの取り付けが完了した場合に前記保持アームによってばね部材（２６、２７、４０、４１、６１、６２）が保持力をレール（Ｓ、Ｓ２）上に加え、かつ
−システムの取り付けが完了した場合に、ばね部材（２６、２７、４０、４１、６１、６２）を締付け固定する、テンション部材（２８、２９、４２、４３、６３、６４）を有し、
−その場合に各アングルガイドプレート（１１、１２、３３、３４、５５、５６）に、支持アングル（１８、１９、３５、３６、５７、５８）が対応づけられており、前記支持アングルは、システムの取り付けが完了した場合に固定手段を用いて土台と堅固に結合されており、かつアングルガイドプレート（１１、１２、３３、３４、５５、５６）を、それによって吸収される横力に対して側方で支持する、
レールを固定する方法。
【請求項２】
固い土台が、コンクリートまくら木（１、３９、５２）によって形成されており、前記コンクリートまくら木の上側の、少なくともシステムの取り付けが完了した場合に占められる空間の領域が、平坦に形成されていることを特徴とする請求項１に記載のシステム。
【請求項３】
弾性的な中間層と圧力分配プレート（８、３２、５４）が、レール脚（５、６７）よりも幅広であることを特徴とする請求項１と２のいずれか１項に記載のシステム。
【請求項４】
中間層（４、３１、５３）と圧力分配プレート（８、３２、５４）がその、レール脚（５、６７）を越えて側方へ張り出す領域に、開口部（６、７、９、１０）を有し、
アングルガイドプレート（１１、１２、３３、３４、５５、５６）が、支持リブ（１３、１４）を有しており、前記支持リブは、システムの取り付けが完了した場合に開口部（６、７、９、１０）に挿通されて、固い土台上に載置され、かつ
システムの取り付けが完了した場合に、アングルガイドプレート（１１、１２、３３、３４、５５、５６）の、圧力分配プレート（８、３２、５４）を把持する部分が、圧力分配プレート（８、３２、５４）に対して距離をもって保持されていることを特徴とする請求項３に記載のシステム。
【請求項５】
レール脚と圧力分配プレートとの間に、電気的に絶縁する層（２５、６５、６６）が配置されていることを特徴とする請求項１から４のいずれか１項に記載のシステム。
【請求項６】
支持アングル（１８、１９、３５、３６、５７、５８）が、固い土台に対応づけられた第１の載置部分（２０）、それに対して直角に配置され、システムの取り付けが完了した場合にアングルガイドプレート（１１、１２、３３、３４、５５、５６）に添接する支持部分（２１）および、載置部分（２０）と支持部分（２１）との間に延びる少なくとも１つの補強リブ（２２）を有していることを特徴とする請求項１から５のいずれか１項に記載のシステム。
【請求項７】
本システムが、２対のアングルガイドプレート（１１、１２、３３、３４、５５、５６）と支持アングル（１８、１９、３５、３６、５７、５８）を有し、前記２対のそれぞれ一方が、レール脚（５、６７）の側面の１つに対応づけられていることを特徴とする請求項１から６のいずれか１項に記載のシステム。
【請求項８】
固定すべきレール（Ｓ）が、ポイントの一部であって、
圧力分配プレート（３２）が、システムの取り付けが完了した場合にレール（Ｓ）のレール脚（５）がその上に載置される、スタンド面（４７）と、前記スタンド面（４７）に対して高くされた、ポイントブレード（Ｚ）のための滑り面（４６）とを有していることを特徴とする請求項１から７のいずれか１項に記載のシステム。
【請求項９】
圧力分配プレート（３２）が、スタンド面（４７）と高くされた滑り面（４６）の間の領域に配置された固定点（４８）を有しており、かつ
システムが、固定点（４８）に固定すべき他のテンション部材（５０）と第２のばね部材（４９）を有しており、前記第２のばね部材は、システムの取り付けが完了した場合に他のテンション部材（５０）によって締付け固定され、かつ、第１のばね部材（４０）と対向する側において、レール脚（５）に作用することを特徴とする請求項８に記載のシステム。
【請求項１０】
システムが、２つのグループのアングルガイドプレート（３３、３４）、ばね部材（４０、４１）、テンション部材（４２、４３）および支持アングル（３５、３６）を有しており、前記２グループの一方が固定すべきレール（Ｓ）に直接対応づけられ、他方のグループは、圧力分配プレート（３２）の他の側に対応づけられており、かつこのグループに属するばね部材（４１）が圧力分配プレート（３２）に作用することを特徴とする請求項８または９に記載のシステム。
【請求項１１】
システムの取り付けが完了した場合に、圧力分配プレート（５４）上に２つのレール（Ｓ、Ｓ２）が、互いに距離をもって配置されていることを特徴とする請求項１から７のいずれか１項に記載のシステム。
【請求項１２】
圧力分配プレート（５４）が、システムの取り付けが完了した場合にレール脚（５，６７）によって占められる空間の間に存在する間隙内に、２つの固定点（６８、６９）を有しており、かつ
システムが、固定点（６８、６９）に固定すべき２つの付加的なテンション部材（７２、７３）と２つの付加的なばね部材（７０、７１）を有しており、前記ばね部材の各々が、それに対応づけられたテンション部材（７２、７３）によって締付け固定されており、かつそれぞれ第１のばね部材（６１、６２）に対向する側において、それぞれ対応づけられたレール（Ｓ、Ｓ２）のレール脚（５、６７）に作用することを特徴とする請求項１１に記載のシステム。
【発明の詳細な説明】
【技術分野】
【０００１】
本発明は、非弾性的な、固い、平坦に形成された土台上にレール、特にポイントのレール、を固定するシステムに関する。
【背景技術】
【０００２】
コンクリートまたは同様の固い、非弾性的な材料から形成された土台、いわゆる「固い走行路」は、特に列車が高速で走行する区間上で、その高い固有剛性に基づいて、通過する際にそれぞれ発生する負荷を、レールと土台の許容できない変形の危険なしで確実に吸収することができる、という利点を有している。それにもかかわらず、レールの永続的な存続に必要な、負荷方向におけるレール固定の変形可能性を保証するために、レールは通常、弾性的な中間層を介して土台上に支持される。その場合に、上からレール脚部へ作用するばね部材、いわゆるテンションクリップが、レールを定められた圧接力で固い土台に対して押圧する。レール脚のサイドガイドは、通常、いわゆるアングルガイドプレートを用いて行われ、そのアングルガイドプレートがレール脚の側方に添接して、レール車両が通過する際に発生する横力に対してレールを支持する。
【０００３】
上述した種類のレール固定システムの例が、本出願人から「システム３００」の名称で提供されている固定システムである。このシステムにおいて、固い土台はコンクリートまくら木によって形成され、そのコンクリートまくら木がコンクリートプレートから形成された床上に載置されている。固定システムに関して固い土台として作用するまくら木上に、弾性的な中間層が敷設され、その中間層がレールの、垂直方向に定められた可撓性の支持を保証する。中間層上に押圧プレートが載置され、それが垂直方向に作用する負荷を弾性的な中間層へ均一に分配する。
【０００４】
レールを側方で支持するために、この既知のシステムにおいては、２つのアングルガイドプレートが設けられており、そのアングルガイドプレートのそれぞれ１つが、レール脚の側面の１つにあてがわれる。駆動中に発生する横力を土台へ逃がすために、それぞれ固い土台に、通常、凹部と隆起部が形成されており、それらがアングルガイドプレートを固い土台に相補形状で取り付けることを可能にしている。
【０００５】
レール脚を側方で支持する他に、この既知のシステムにおいてアングルガイドプレートは、ω形状のテンションクリップを案内するために用いられ、そのテンションクリップのアームの自由端部が、レール脚のそれぞれその自由端部に対応づけられた側を押圧する。その場合に、テンションクリップを締め付けるために、それぞれテンションボルトが設けられており、それがそれぞれのアングルガイドプレートを通して固い土台内へ螺合される。
【０００６】
上述した種類のレール固定システムは、実際において以前から優れていることが明らかにされており、多大な個数で使用される。もちろん、レールの固定が局地的特殊性または構造的に困難な領域においては、今日でもまだそれぞれ特殊な解決が使用される。これは特に、ポイントの領域がそうであって、個々のレールの固定は、通常、まず土台上に下敷きプレートが固定されて、その後レールが、下敷きプレートに係止される固定手段を介して保持されることによって、間接的に行われる。その場合に、必要であれば、下敷きプレートと土台の間、あるいはレール脚と下敷きプレートの間に弾性的な中間層が配置されて、それによってポイント領域においてもレール支持の必要な弾性がもたらされる。この種のシステムは、たとえば、本出願人から「システムＫＳ」の名称で提供される。
【０００７】
既知の固定システムによって、レールは、それぞれのシステムに属する固定部材の位置をレールと土台のそれぞれの方向づけに適合させなければならない領域においても、確実に固定される。そのためには、もちろん、固定システムの変更を考慮しなければならず、その変更はまさにポイントおよび同様なレール分岐の領域において取付け作業および保守作業を複雑なものにする。
【発明の開示】
【発明が解決しようとする課題】
【０００８】
上述した従来技術に基づいて、本発明の課題は、たとえばポイントの領域で与えられるような、困難な、あるいは標準状況とは異なる固定課題の領域においても、確実かつ簡単に取り付け可能なレールの固定を許す、固定システムを提供することである。
【課題を解決するための手段】
【０００９】
この課題は、非弾性的な、固い、平坦に形成された土台上にレール、特にポイントのレール、を固定するためのシステムによって解決され、そのシステムは、本発明によれば、システムの取り付けが完了した場合に固い土台上に載置される、弾性的な材料からなる中間層、システムの取り付けが完了した場合に中間層上に載置され、システムの取り付けが完了した場合にその、中間層とは逆の上側上に固定すべきレールのレール脚が支持される、圧力分配プレート、システムの取り付けが完了した場合にレールのレール脚の側方に添接し、システムの取り付けが完了した場合に固い土台上に載置され、レール車両がレールを通過する際に発生する横力を吸収する、少なくとも１つのアングルガイドプレート、システムの取り付けが完了した場合にアングルガイドプレート上に取り付けられ、それぞれ２つの保持アームを有し、システムの取り付けが完了した場合にその保持アームによって保持力をレールに加える、ばね部材および、システムの取り付けが完了した場合にばね部材を締付け固定する、テンション部材を有し、その場合に各アングルガイドプレートに支持アングルが対応づけられており、その支持アングルは、システムの取り付けが完了した場合に土台と堅固に結合されて、アングルガイドプレートをそれが吸収する横力に対して側方で支持する。
【００１０】
本発明に基づくレール固定システムにおいて、個々の部材は、それぞれ提供される固い土台の平坦に形成された上面上に配置される。従って、アングルガイドプレートの位置固定は、土台に形成された突出部または凹部を介して行われるのではなく、そのために別体の支持アングルが設けられている。この支持アングルは、本発明に基づく固定システムを取り付ける場合に、問題なくそれぞれ次のように、すなわち、それぞれの土台上のそれぞれの方向付けに関係なく、アングルガイドプレートの最適な支持が保証されるように、位置決めすることができる。本発明に基づく固定システムは、簡単な方法で、既知のシステム上に構築することができ、弾性的な中間層、圧力分配プレート、ばね部材およびテンション部材のような、その既知のシステムの大部分のコンポーネントを引き継ぐことができる。
【００１１】
従って本発明に基づくシステムにおいては、アングルガイドプレートを、それが平坦な載置面上に取り付けられて、別体の支持部材である支持アングルに対して支持される、という特殊性に適合させるだけで済む。従って、特殊領域の外部で使用される、従来の固定システムを取り付ける場合に使用されるのと同じ工具、器具および補助手段を使用することができる。本発明によれば、特にポイントの領域で生じるような、困難かつ標準状況からずれた固定課題の領域においても、レールの確実かつ簡単に取り付け可能な固定を許す、固定システムが提供される。
【００１２】
本発明の特別な利点は、それぞれの固い土台の特別な形状付与を前提とせず、本発明に基づく固定システムを取り付けるために、土台の平坦な上面で十分である、ということにある。この独自性が、本発明に基づくシステムを、ポイントのレール上に荷重をかける負荷を最適に捕捉することができるようにするために、通常各まくら木が異なるように形成される、固い土台としてのまくら木上に支持される、ポイントの領域内で使用するのに適したものにする。すなわち、本発明に基づく固定システムは、特に、固い土台がコンクリートまくら木によって形成され、その上面が少なくとも、取り付けが完了したシステムによって占められる空間の領域において平坦に形成されている場合に、簡単な方法で取り付けられる。しかし、全く同様に、本発明に基づくシステムは、その表面が少なくとも固定領域において平坦に形成されている、コンクリートプレートあるいは同様の構成部材上にも、固定することができる。
【００１３】
本発明に基づく固定システムを、特に高い負荷をかけることができ、同時にその弾性的な中間層の可撓性に関して最適に設計する可能性は、中間層と圧力分配プレートが既知の固定システム「システム３００」の手本に従って、レール脚よりも幅広であることによって、拓くことができる。その場合にそれぞれのアングルガイドプレートの確実な配置は、中間層と圧力分配プレートがその、レール脚を越えて側方へ張り出す領域内に開口部を有しており、アングルガイドプレートが支持リブを有し、システムの取り付けが完了した場合にその支持リブが開口部に挿通されて、固い土台上に載置され、システムの取り付けが完了した場合にアングルガイドプレートの、圧力分配プレートを把持する部分が圧力分配プレートに対して距離をもって保持されることによって、保証することができる。
【００１４】
本発明の特に安定し、かつ同時に重量的に最適な変形例は、支持アングルが、固い土台に対応づけられた第１の載置部分、それに対して直角に、特に実質的に直角に配置され、システムの取り付けが完了した場合にアングルガイドプレートに添接する支持部分および、載置部分と支持部分との間に延びる少なくとも１つの補強リブを有していることを、特徴としている。
【００１５】
それぞれの固定状況に従って、本発明に基づく固定システムは、２対のアングルガイドプレートと支持アングルを有しており、標準固定状況においてはそれぞれその一方が、従来の固定システムにおけるように、レール脚の側面の一方に対応づけられている。
【００１６】
固定すべきレールが、ポイントのレールである場合に、移動可能なポイントブレードが案内されなければならない領域について、圧力分配プレートは、システムの取り付けが完了した場合にレールのレール脚が載るスタンド面と、スタンド面に対して高くされた、ポイントブレードのための滑り面とを有している。その場合に、それぞれのレールの、相変わらず簡単かつ確実な両側の固定を可能にするために、圧力分配プレートは、スタンド面と高くされた滑り面との間の領域に配置された固定点を有することができ、本発明に基づく固定システムは、固定点に固定すべき第２のテンション部材と第２のばね部材を有しており、そのばね部材はシステムの取り付けが完了した場合に第２のテンション部材によって締付け固定されて、第１のばね部材と対向する側においてレール脚に作用する。この使用場合にとって効果的な、本発明の他の好ましい形態において、固定システムは、２グループのアングルガイドプレート、ばね部材、テンション部材および支持アングルを有しており、その一方が直接、固定すべきレールに対等づけられており、他のグループは圧力分配プレートの他の側に対応づけられており、このグループに属するばね部材が圧力分配プレートに作用する。
【００１７】
特に、レールが狭く隣り合わせて配置される、ポイントの領域に適した、本発明の変形例において、システムの取り付けが完了した場合に、圧力分配プレート上に２つのレールが互いに距離をおいて配置されている。この場合においても、圧力分配プレート上に２つのレールを固定することは、圧力分配プレートが、システムの取り付けが完了した場合にレール脚によって占められる空間の間に存在する間隙内に、２つの固定点を有しており、本発明に基づく固定システムが、固定点に固定すべき２つの付加的なテンション部材と２つの付加的なばね部材を有しており、そのばね部材のそれぞれ一方が、それに対応づけられたテンション部材によって締付け固定され、かつそれぞれ第１のばね部材に対向する側において、それぞれ対応づけられたレールのレール脚に作用する場合に、簡単な方法で行うことができる。
【発明を実施するための最良の形態】
【００１８】
以下、実施例を示す図面を用いて、本発明を詳細に説明する。
【００１９】
図１に示すレール固定によって、従来のまっすぐに延びるレールＳが、コンクリートまくら木１上に固定され、そのコンクリートまくら木は、平坦な上側２を有し、同様にコンクリートから形成された床プレート３上に載置されている。まくら木１を床プレート３上に固定するために、隣接するコンクリートまくら木１の間に存在する間隙内に、ここには図示されない充填コンクリートを充填することができる。まくら木１上にレールＳを固定するために使用される固定システムは、以下で説明する個別部分を有している。
【００２０】
弾性的な中間層４が、コンクリートまくら木１の上側２上に載置されて、レールＳの長手方向の延びに対して横方向に見て、レールＳに関して、中央に方向付けされる。その場合に中間層４の幅Ｂは、レールＳのレール脚５の幅よりも大きいので、中間層４はレール脚５を越えて両側へ張り出す。中間層４は、レール脚を越えて張り出した領域内に、それぞれ開口部６、７を有している。
【００２１】
鋼または鋳鉄材料から形成された圧力分配プレート８（その大きさは、上面で見て、弾性的な中間層４の大きさに等しい）が、中間層４上に面が重なるように載置される。中間層４のように、圧力分配プレート８もその、レール脚を越えて張り出した部分の領域に、それぞれ開口部９、１０を有しており、これらの開口部は、中間層４の開口部６、７に等しく重なるように方向付けされている。圧力分配プレート８は、レールＳを通過する際に垂直方向に発生する負荷Ｖによるそのたるみが最小になり、かつ負荷Ｖが弾性的な中間層４上に均一に分配されるように、寸法設計されている。
【００２２】
２つのアングルガイドプレート１１、１２は、それぞれ中央部分１３を有しており、その中央部分は、開口部９、１０とそれぞれそれに隣接する幅狭側との間に存在する、圧力分配プレート８の部分よりも幅が広い。レール脚５に対応づけられた側において、中央部分に下方を向いた支持リブ１３、１４が形成されている。支持リブ１３、１４の高さは、中間層４と圧力分配プレート８をまとめた厚みよりも大きい。同時にこの側に、上を向いた支持部分１５が延びており、固定システムの取り付けが完了した場合に、その支持部分によってアングルガイドプレート１１、１２がレール脚５のそれぞれその支持部分に対応づけられた側に添接する。アングルガイドプレート１１、１２は、レール脚５とは逆の側において、リブ部分へ移行しており、そのリブ部分に下を向いた支持リブ１６、１７が形成されている。アングルガイドプレート１１、１２に、さらに、それぞれ透孔が形成されており、その透孔が中間層４および圧力分配プレート８のそれぞれの開口部６、７ないし９、１０に対して整合するように方向付けされてる。
【００２３】
アングルガイドプレート１１、１２の側方の支持は、それぞれ固定システムに属する支持アングル１８、１９を介して行われる。支持アングル１８、１９は、それぞれ、コンクリートまくら木１の上側２上に載置される載置部分２０、それに対して直角に配置された、それぞれのアングルガイドプレート１１、１２に添接する支持部分２１および均一な間隔で配置された４つの補強リブ２２を有しており、その補強リブが載置部分２０と支持部分２１の間に延びている。支持部分２１の、コンクリートまくら木１の上側２に対応づけられた下端縁に、支持部分２１に対して直角に方向付けされた、前を向いた突出部２２が形成されており、その突出部の下側が同様にコンクリートまくら木１の上側２上に載置されている。
【００２４】
固定システムを取り付ける場合に、アングルガイドプレート１１、１２の支持リブ１６、１７が、中間層４と圧力分配プレート８の開口部６、７ないし９、１０を通して案内されるので、アングルガイドプレートがコンクリートまくら木１の上側２上に載置される。その後、それぞれの支持アングル１８、１９は、その支持部分２１がそれぞれのアングルガイドプレート１１、１２に添接して、突出部２２が支持リブ１３、１４の下方に位置決めされるまで、それぞれ対応づけられたアングルガイドプレート１１、１２に接するように側方へ摺動される。次に、支持アングル１８、１９が、コンクリートまくら木１と螺合される。そのために、まず、コンクリートまくら木１に然るべく形成された孔内へ、プラスチックだぼ２３が挿入され、次にその中へ、支持アングル１８、１９の載置部分２０に形成された透孔を通して案内された固定ボルト２４が螺合される。
【００２５】
レール脚５と圧力分配プレート８の間に、さらに、電気的に絶縁する材料からなる層２５が配置されており、その層が、圧力分配プレート８とレールＳの間の電気的に導通する接続を防止する。
【００２６】
アングルガイドプレート１１、１２上に、それ自体既知の方法で、突起または溝のような、形状部材が形成され、その形状部材は、それぞれのアングルガイドプレート１１、１２上に載置されたω形状のばね部材２６、２７の部分片を案内し、かつ側方で支持するように定められている。テンションクリップとも称する、ばね部材２６、２７は、取り付けが完了した状態において、そのテンションアームの自由端部がレール脚５の上側を押圧するので、レールＳが垂直方向にばね変位するように弾性的に保持される。ばね部材２６、２７を締め付けるために、それぞれテンションボルト２８、２９が設けられており、そのボルトヘッドがそれぞれのばね部材２６、２７の中央部分上に作用し、かつそのシャフトが、アングルガイドプレート１１、１２のそれぞれの開口部および圧力分配プレート８と中間層４の開口部６、７ないし９、１０を通して案内されて、だぼ３０内へ螺合され、そのだぼは、コンクリートまくら木１に然るべく形成された孔内へ挿入されている。図１と２において、ばね部材２６は締め付けが完了した位置において、ばね部材２７は締め付けのための準備ができた位置で示されている。
【００２７】
図３に示す実施例において、固定システムは、図１と２に示す実施例の場合と同様に、弾性的な中間層３１、中間層３１上に載置されて、これを全面で覆う圧力分配プレート３２、アングルガイドプレート１１、１２と同様に形成された２つのアングルガイドプレート３３、３４、支持アングル１７、１８と同様に形成された２つの支持アングル３５、３６、支持アングル３５、３６をコンクリートまくら木３９の上側上に固定するためのボルト３７、３８、２つのばね部材４０、４１、ばね部材４０、４１を締め付けるためのテンションボルト４２、４３および、固定すべきレールＳのレール脚５と圧力分配プレート３２の間に設けられた、電気的に絶縁する層４４を有している。
【００２８】
図１と２に示す実施例とは異なり、図３に示す固定システムは、ポイントに属する、ポイントブレードＺの移動領域内に配置されたレールを固定するために用いられる。この目的のために、圧力分配プレートに、隆起部４５の形状の軌道スツールが形成されており、その上側が滑り面４６を形成し、その滑り面上でポイントブレードが双方向に滑り移動することができる。その上にレール脚５が乗る、スタンド面４７と、隆起した滑り面との間の領域内に、圧力分配プレート３２と堅固に結合されたねじボルトの形式の固定点４８が設けられている。
【００２９】
レールＳをその、隆起部４５とは逆の側で固定することは、アングルガイドプレート３３、ばね部材４０、テンションボルト４２、支持アングル３５およびボルト３７を用いて、図１と２に示す実施例において説明したように、行われる。その場合にアングルガイドプレート３３の、レール脚に対応づけられた支持リブが、圧力分配プレート３２と弾性的な中間層３１の開口部内へ嵌入し、前記開口部は、圧力分配プレート８および中間層４の場合と同様に、圧力分配プレート８と中間層４のレール脚を越えて側方へ張り出す部分に形成されている。
【００３０】
レールＳを、レール脚５の、隆起部４５に対応づけられた側上に固定することは、この場合に同様に固定システムに属する他のω形状のテンションクリップ４３を用いて行われ、前記テンションクリップはその中央部分においてテンションナット５０を用いて固定点４８に締付け固定されるので、そのばねアームの自由端部によって必要な保持力をレール脚５上にもたらす。
【００３１】
圧力分配プレート３２をその、レールＳに対向する側で弾性的に保持することは、アングルガイドプレート３４、ばね部材４１、テンションボルト４３、支持アングル３６およびボルト３８を用いて行われる。この目的のために、圧力分配プレート３２とその下に位置する弾性的な中間層３１は、この側においても側方へ張り出す部分を有しており、その部分に、コンクリートまくら木３９の上側へ通じる開口部５１が形成されている。この開口部５１内へ、アングルガイドプレート３４の、圧力分配プレートに対応づけられた支持リブが嵌入する。アングルガイドプレート３４の側方の支持は、支持アングル３６を用いて、図１と２に示す実施例について説明したのと同様に行われる。締付け固定された後に、ばね部材４１のばねアームの自由端部が、圧力分配プレート３２の上側上に載置されて、それによって、ばね弾性的に支持するのに必要な保持力を圧力分配プレート３２上に加える。
【００３２】
図４には、たとえばポイントの継板領域に存在するような、狭い隣り合わせで配置されたレールＳ、Ｓ２を固定するのに適した、固定システムが示されている。
【００３３】
この目的のために、該当する固定システムは、コンクリートまくら木５２の平坦な上側上に載置される弾性的な中間層５３、中間層５３を面が重なるように覆う圧力分配プレート５４、アングルガイドプレート１１、１２と同様に形成された２つのアングルガイドプレート５５、５６、支持アングル１７、１８と同様に形成された２つの支持アングル５７、５８、支持アングル５７、５８をコンクリートまくら木５２の平坦な上側上に固定するためのボルト５９、６０、２つのばね部材６１、６２、ばね部材６１、６２を締付け固定するためのテンションボルト６３、６４および、それぞれ固定すべきレールＳ、Ｓ２のレール脚５、６７と圧力分配プレート５４との間に位置する、２つの電気的に絶縁する層６５、６６を有している。
【００３４】
その場合に、圧力分配プレート５４と弾性的な中間層５３は、それぞれレールのレール脚５とレールＳ２のレール脚６７を越えて側方へ張り出している。圧力分配プレート５４と中間層５３の張り出した部分に、それぞれコンクリートまくら木５２の上側まで貫通した開口部が形成されている。
【００３５】
レールＳ、Ｓ２の固定は、それぞれのレール脚５、６７の、それぞれ他のレールＳ、Ｓ２とは逆の側において、アングルガイドプレート５５、５６、支持アングル５７、５８、支持アングル５７、５８を固定するためのボルト５９、６０、ばね部材６１、６２およびばね部材６１、６２を締付け固定するためのテンションボルト６３、６４を用いて、図１と２に示す実施例について説明したように行われる。その場合に図４において、左側に取り付けが完了した固定が示されており、右側の固定は、ばね部材６２を締付け固定するための準備状態にある。
【００３６】
レールＳ、Ｓ２をその、互いに対応づけられた側においても確実に保持するために、レール脚５、６５のスタンド面の間の領域において、圧力分配プレート５４上にねじボルトの形状の２つの固定点６８、６９が設けられている。これらの固定点６８、６９において、同様に該当する固定システムに属するω形状のテンションクリップ７０、７１が、それぞれテンションナット７２、７３を用いて、そのばねアームの自由端部がレール５ないし６５上に必要な保持力をもたらすように、締付け固定されている。
【図面の簡単な説明】
【００３７】
【図１】第１のレール固定を示す横断面図である。
【図２】図１に示すレール固定の上面図である。
【図３】第２のレール固定を示す横断面図である。
【図４】第３のレール固定を示す横断面図である。
【符号の説明】
【００３８】
１    コンクリートまくら木
２    上側
３    床プレート
４    中間層
５    レール脚
６、７    開口部
８    圧力分配プレート
９、１０    開口部
１１、１２    アングルガイドプレート
１３、１４    支持リブ
１５    アングルガイドプレート１１、１２の支持部分
１６、１７    支持リブ
１８、１９    支持アングル
２０    載置部分
２１    支持部分
２２    補強リブ
２３    プラスチックだぼ
２４    固定ボルト
２５    電気的に絶縁する層
２６、２７    ばね部材
２８、２９    テンションボルト
３０    だぼ
３１    中間層
３２    圧力分配プレート
３３、３４    アングルガイドプレート
３５、３６    支持アングル
３７、３８    ボルト
３９    コンクリートまくら木
４０、４１    ばね部材
４２、４３    テンションボルト
４４    電気的に絶縁する層
４５    圧力分配プレート３２の隆起部
４６    滑り面
４７    スタンド面
４８    固定点
４９    テンションクリップ
５０    テンションナット
５１    開口部
５２    コンクリートまくら木
５３    中間層
５４    圧力分配プレート
５５、５６    アングルガイドプレート
５７、５８    支持アングル
５９、６０    ボルト
６１、６２    ばね部材
６３、６４    テンションボルト
６５、６６    電気的に絶縁する層
６７    レールＳ２のレール脚
６８、６９    固定点
７１、７１    テンションクリップ
７２、７３    テンションナット
Ｂ    中間層４の幅
Ｓ    レール
Ｓ２    レール
Ｖ    垂直方向に作用する負荷
Ｚ    ポイントブレード
【図１】
2009523931.tif 000003
【図２】
2009523931.tif 000004
【図３】
2009523931.tif 000005
【図４】
2009523931.tif 000006
【国際調査報告】
2009523931.tif 000007
2009523931.tif 000008
2009523931.tif 000009
2009523931.tif 000010